(57)【要約】【課題】透明樹脂板の歪みと両面をレンズ成形させる方法【解決手段】無色な透明樹脂板をＶ字成形の幾何構造にある可塑性歪み主点と節点を複屈折領域に、光源から１「基本に垂直で両面に傾いている場合」２「平画面に垂直の場合」３「立画面に垂直の場合」４「両画面に平行な場合」等々光の発散と偏光の係わり性質に、実用される光軸の介し回折像と回折環等に広がりる方向に濃淡のホログラムシート現象的に映りだす。【図面】図６
2004047402.tif 000002
【特許請求の範囲】
【請求項１】
１　単一の楕円形および短冊形の透明した樹脂板を加熱のＶ字形に折り曲げで歪み領域を有する成形手段と、前記成形に内在した透明した樹脂板の三角形片および屈折を有する支え棒を組み合うを有する手段と、前記手段に応じた透明した樹脂を筐体手段と、前記に光源をいられるようにした態様を得る、透明する樹脂に形成いられることを特徴とする透明樹脂板の歪みと両面をレンズ成形させる方法。
【発明の詳細な説明】
【０００１】
【発明の属する技術分野】
本発明は、放物線面鏡を起因に光の拡散する近くの光エネルギーを透明した樹脂の内部に歪みもち、両面の光沢と吸収に係わりる機巧に、光とひかりの回析と干渉を行なう透明樹脂板の歪みと両面をレンズ成形させる方法に関する。
【０００２】
【従来の技術およびその問題点】
従来より携帯電灯は、一光源に発する起因に、光を放物線面鏡で屈折・反射・屈折に薄い円形凸成型のレンズ（偏角度）の通過させて、光軸中心の集光角に機巧投射する円錐形状は、一光源一焦点に狭い範囲から狭い視界を改善対策の問題点がある。
【０００３】
上記の暗い環境中に、円錐形状に拡がる投射コントラス認識の単調な感覚を覚える、その多種多色彩を求められる改善性の問題点があった。
【０００５】
上記の懐中電灯の一焦点を上・下・左右の振り動かし求める視界と目線の方向が相互関係する行為に、他に知られる問題点があつた。
【０００６】
【発明の目的】
本発明は、暗い環境中に対応する懐中電灯機能等が求める公知偏差技術を機巧の容易と併発する探求技術を求め、したがつて、無色か半透明の光沢両面を透明した樹脂板に照明在り方を背景に、そこに、焦点と焦点距離に光とひかりにの干渉と、補う技術から更に近軸光線によつて拡大像を得る、特徴を透明樹脂板の歪みと両面をレンズ成形させる方法。
【０００７】
【課題を解決するための手段】
１　単一の楕円形および短冊形の透明した樹脂の板を加熱のＶ字形に折り曲げに、その箇所に歪み領域を有する成形手段と、前記成形に作用を内在した透明する樹脂板の三角形片、および、屈折を有する支え棒を、組み合うを有する手段と、前記手段に応じた透明した樹脂を筐体手段と、前記に光源をいられるようにした態様を得る、透明する樹脂に形成いられることを特徴とする透明樹脂板の歪みと両面をレンズ成形させる方法。
【０００８】
【発明の作用】
この目的を達成するために、本発明に係わる透明樹脂板の歪みと両面レンズ成形方法の透明樹脂にある光沢両面を光と幾何学構造に具有に両面光沢の起因に無色な透明樹脂をＶ字成形に三角形片組む、および、可塑性に歪み領域を機巧に近軸光線光を通す有具配置が主点と節点に複屈折と発散と偏光を介し、実用の回折像と回折環の距離に濃淡の拡大をホログラムシート現象的態様を得る。
【０００９】
【実施例】
以下、本発明の実施例を図面に基づいて、構成と係わる作用を詳細に説明する。
【００１０】
形成手順、素材を無色の透明アクリル樹脂板を用い、その平板を直方形９×３３ｃｍ厚さ約０、３ｃｍの横半分部分（支点と兼ねる）成形に変形適する加熱手段（関与していないので図示せず）介し加工温度を与え、さらに、外圧を加え（実施、手動）成形させる角度約３０°Ｖ字形成に折り曲げ、さらに、冷水冷却するその手段（図示せず）に冷却固化に成形Ｖ字形状１（以下Ｖ字成形と称する）の折り曲げる肉厚の内部Ａ・Ｂ歪みを生ず領域２（以下屈折領域と称する）長さ幅約１ｃｍ約９ｃｍの内外角度それぞれ鋭にならない、上位面は３直方形約９×１６ｃｍ、下位面４は直方形約９×１６ｃｍ、Ｖ字に開く口部分（以下開口部と称する）開口部５が空間直方形約９×８ｃｍを図１に斜視図を示す。
【００１１】
次に、Ｖ字成形１を支え板の成形手順（イ）同じ素材を三角形を辺の長さ１６×１６×８ｃｍ肉厚約０、３ｃｍに両面約０１ｍｍ「きりかく」（ロ）「きりかく」部分を破壊的な外因を与えの折り曲げ・裂く剪断の圧し折る（公知する可塑性であるために内容記載を図示せず）三角形片６・７を造り、Ｖ字成形１の内側にハ字に狭搾部８と幅広部９は光源側に態様を得るようにに固定、接着剤とセロテープ（商名）を用いる。
【００１２】
次に、光に複屈折させる棒状の加工制作は、上記に実施の形成手順を再度に簡素に記載する、同じ素材をＶ字成形１に造り、折り曲げる部分を（イ）（ロ）成形手順から切り取りる、その形状を複屈折棒状１０・１１と記載し図７示す。
【００１３】
次に、Ｖ字成形１開口部５の内側対角したＣ・Ｄを右斜め複屈折棒状１０を設ける。
【００１４】
次に、上記の構成を同じ素材に直方形を四枚張り合わせ、中空直方形の筐体１２の内角を対角にＥ・Ｆ左斜めに支える複屈折棒状１１設ける。
【００１５】
次に、抱持する筐体１２にＶ字成形１の頂点を向け挿入する両側接触の点を固定した図２に光源側と図３屈折領域側示す。図４に光源側の態様縦Ａ−Ａ横切断面、その図５横切断面Ｂ−Ｂ図を示す。
【００１６】
次に、懐中電灯の豆電球と凹面鏡とレンズで発する構成の光を光源１３と記載する、筐体１２に接続具（関与していないので図示せず）を介して電源１３を合体図６にしめす。
【００１７】
又、本発明に具有のＶ字成形１と三角形片５・６は、半透明アクリル樹脂透明成形にしても良い、Ｖ字成形１は歪み領域を局部に有するＩ字形成を二枚合わせ成形にしても良い、Ｖ字成形１は歪み領域を局部に有するＩ字形成を二枚合わせＶ字形成にしても良い、また、三角形片５・６を台形、たこ形か四角形として成形してもよい、形状及び配置は特に限定されるものである。
【００１８】
【発明の効果】
以上に、本発明の形成に光学力学・構造理論等が透明アクリル樹脂に係わる組織破壊の歪みと透明体の中空直方形とＶ字成形１正三角形５対正三角形６「組み合わせ」に係わる角度Ｔ字の機巧に、かつ、粘着テープ母材が「一方向に引き伸し異方性結晶と同じように複屈折性（商品名セロテープ）」を干渉色の併発は、光属性の複屈折と伝播に散乱パターン構図を示す。
【００１９】
上記と光を通る配置の相関概要は、主を光源から１「基本に垂直で両面に傾いている」２「平画面に垂直」３「立画面に垂直」４「両画面に平行な」５「平画面に傾いて立画面に平行」６「平画面に平行で立画面に傾いている」７「両画面に傾いている」主点と節点に「内部歪みを生ずと各辺の複屈折領域」に「ブリュスター角」１から７事項を得る、それに伴う照明する効果範囲を拡大する。
【００２０】
光源１３から発する光（従来例の公称電圧・ＤＣ−６Ｖ・色彩は黄色）を線吸収と透過に直線偏向、円偏向、楕円偏向に輝度率の投射形状を伴いうホログラムシート現象を得る。
【００２１】
本発明は、目的に添う中空三角立体と中空直方体の二っ要素にどのような特別の理論によつてもいかなる制約もうけず、前述に光弾性歪み解析方法に確認できる、これによつて、照明効果に問題点を解消することができる。
【００２２】
抱持する筐体１２にＶ字成形１の頂点を向け挿入する両側接触の点を固定した図２に図３。図４に縦Ａ−Ａ横切断面、その図５横切断面Ｂ−Ｂ図を示す
【図面の簡単な説明】
図１から図６は本発明の実施例を示すで、
【図１】Ｖ字成形を説明した斜視図懐中電灯の光源概略図
【図２】光源側からＶ字成形の開口部を説明図
【図３】屈折領域側示すＶ字成形を説明図
【図４】透明樹脂筐の横切断面Ａ−Ａ
【図５】透明樹脂筐の縦切断図Ｂ−Ｂ
【図６】合体に接続を光源側概略図
【図７】切り取りる形状を複屈折棒状概略図
【符号の説明】
１　Ｖ字成形
２　屈折領域
３　上位面
４　下位面
５　開口部
６　正三角形
７　正三角形
８　狭搾部
９　幅広部
１０　複屈折棒状
１１　複屈折棒状
１２　筐体
１３　光源
谷Ａ・Ｂ・Ｃ・Ｄ・Ｅ・Ｆ
【図１】
2004047402.tif 000003
【図２】
2004047402.tif 000004
【図３】
2004047402.tif 000005
【図４】
2004047402.tif 000006
【図５】
2004047402.tif 000007
【図６】
2004047402.tif 000008
【図７】
2004047402.tif 000009